(57)【要約】      （修正有）【課題】ヘアードライヤーの騒音をより低減できる技術を提供する。【解決手段】ヘアードライヤー５は、ファンモータＦＭと、ヒータユニットＨＵと、ファンモータおよびヒータユニットを覆い、中心軸Ｊ１の周囲において前後に延びる本体ケースＣとを有する。また、ファンモータは、中心軸を中心に回転するインペラ４と、モータＭと、を有する。また、本体ケースは、吸気口１０を有する吸気ケース部１と、排気口３０を有する排気ケース部３と、吸気口と排気口との間に位置し、流入口２０を有する流入ケース部２とを有する。また、吸気ケース部は、流入口に向かって延びる吸込管部１１１を有する。そして、吸気ケース部と流入ケース部とにより、流入口と吸気口との間に位置し、吸込管部および流入口の径方向外側に広がる拡張室１２０が構成される。これにて、インペラから生じる騒音を、拡張室内で反射させ、ヘアードライヤーの騒音を低減できる。【選択図】図１
2016135228.tif 000002
【特許請求の範囲】
【請求項１】
前後に延びる中心軸に沿って前方に空気を送り出すヘアードライヤーであって、
ファンモータと、
ヒータユニットと、
前記ファンモータおよび前記ヒータユニットを覆い、前記中心軸の周囲において前後に延びる中空筒状の本体ケースと、
を有し、
前記ファンモータは、
前記中心軸を中心に回転するインペラと、
前記インペラを回転させるモータと、
を有し、
前記本体ケースは、
吸気口を有する吸気ケース部と、
排気口を有する排気ケース部と、
前記吸気口と前記排気口との間に位置し、前記中心軸方向に貫通する流入口を有する流入ケース部と、
を有し、
前記吸気ケース部は、
後端部から前記流入口に向かって前方へ延びる筒状の吸込管部
を有し、
前記吸気ケース部と前記流入ケース部とにより、前記流入口と前記吸気口との間に位置し、前記吸込管部および前記流入口の径方向外側に広がる拡張室が構成され、
前記吸込管部は、
前記吸込管部の後方の開口である第１開口と、
前記吸込管部の前方の開口である第２開口と、
を有するヘアードライヤー。
【請求項２】
請求項１に記載のヘアードライヤーであって、
前記第１開口の断面積は、前記流入口の断面積よりも大きいヘアードライヤー。
【請求項３】
請求項１または請求項２に記載のヘアードライヤーであって、
前記第２開口の断面積は、前記流入口の断面積よりも大きいヘアードライヤー。
【請求項４】
請求項１から請求項３までのいずれか１項に記載のヘアードライヤーであって、
前記第１開口、前記第２開口、および前記流入口は、いずれも円形であるヘアードライヤー。
【請求項５】
請求項４に記載のヘアードライヤーであって、
前記第１開口の断面積は、前記第２開口の断面積よりも大きいヘアードライヤー。
【請求項６】
請求項４または請求項５に記載のヘアードライヤーであって、
前記吸込管部の内径は、前方へ向かうにつれて小さくなり、
前記第１開口の内径は、前記第２開口の内径よりも大きいヘアードライヤー。
【請求項７】
請求項４から請求項６までのいずれか１項に記載のヘアードライヤーであって、
前記吸込管部の軸方向の長さは、前記第１開口の半径以上であるヘアードライヤー。
【請求項８】
請求項１から請求項７までのいずれか１項に記載のヘアードライヤーであって、
前記吸気ケース部は、後方へ向かうにつれて外径が縮小する吸気ケース部筒部をさらに有し、
前記吸込管部は、前記吸気ケース部筒部の径方向内側に配置され、前記吸気ケース部筒部の後端部から前方に向かって軸方向に延び、
前記吸込管部と前記吸気ケース部筒部とが、間隙を介して径方向に対向し、
前記間隙は、前記拡張室の一部であるヘアードライヤー。
【請求項９】
請求項８に記載のヘアードライヤーであって、
前記吸気ケース部筒部は、径方向内方に向かって延びる円環部を有し、
前記円環部は、前記間隙内に位置し、
前記吸込管部は、径方向に隙間を介して前記円環部と対向するヘアードライヤー。
【請求項１０】
請求項８または請求項９に記載のヘアードライヤーであって、
前記間隙に配置された第１吸音材をさらに有するヘアードライヤー。
【請求項１１】
請求項８から請求項１０までのいずれか１項に記載のヘアードライヤーであって、
前記吸気ケース部筒部の内周面に配置された第２吸音材をさらに有するヘアードライヤー。
【請求項１２】
請求項１から請求項１１までのいずれか１項に記載のヘアードライヤーであって、
前記吸込管部は、径方向に貫通し、前記吸気口と前記拡張室と繋ぐ微小開口を有するヘアードライヤー。
【請求項１３】
請求項１から請求項１２までのいずれか１項に記載のヘアードライヤーであって、
前記流入口は、少なくとも一部に、前方へ向かうにつれて次第に内径が大きくなる傾斜部を有し、
前記傾斜部は、前方へ向かうにつれて次第に径方向外向きに湾曲するヘアードライヤー。
【請求項１４】
請求項１から請求項１３までのいずれか１項に記載のヘアードライヤーであって、
前記インペラは、遠心インペラまたは斜流インペラであり、
前記流入ケース部の内周面の少なくとも一部は、前記インペラの外形に沿って広がり、
前記流入ケース部の内径は、前記流入口から前方へ向かうにつれて次第に大きくなるヘアードライヤー。
【発明の詳細な説明】
【技術分野】
【０００１】
本発明は、ヘアードライヤーに関する。
【背景技術】
【０００２】
一般的に、ヘアードライヤーにおいては、空気を送るためのインペラから騒音が発生する。米国特許第８２５６１３２号明細書では、消音器（Silencer for drying appliance and silent hair dryer）を適用したヘアードライヤーが開示されている。当該公報には、拡張型消音器を、インペラの吸込口側に配設することで、騒音を低減する技術が記載されている。当該公報記載のヘアードライヤーは、外気を取り入れるオリフィス穴と、消音器としての拡張室（chamber）と、遠心型ターボファンへの吸込口であるオリフィス穴とを有する。また、空気をスムーズに送るために、インペラへの吸込口であるオリフィス穴の直径は、外気を取り入れるオリフィス穴よりも大きく設けられている。そして、拡張室の直径は、インペラへの吸込口であるオリフィス穴よりも、大きく設けられている。
【特許文献１】米国特許第８２５６１３２号明細書
【発明の概要】
【発明が解決しようとする課題】
【０００３】
しかしながら、当該公報に記載のヘアードライヤーでは、各オリフィスにおける直径の大小関係や、拡張室内の構造については着目されていない。このため、拡張室による消音効果を十分に得ることができない。例えば、当該公報に記載の構成では、外気を取り入れるオリフィス穴を通過した空気の流れは、乱れが大きくなり、空気の流路抵抗も大きくなってしまう。したがって、ヘアードライヤーの必要な風量を出すために、インペラの回転数を高める必要がある。これにより、ヘアードライヤーの騒音が大きくなる。このように、空気の流路抵抗が大きくなると、拡張型の消音器によって得られるはずの消音効果の一部が、十分に発揮されないという問題がある。
【０００４】
本発明の目的は、ヘアードライヤーの騒音をより低減できる技術を提供することである。
【課題を解決するための手段】
【０００５】
本願の例示的な第１発明は、前後に延びる中心軸に沿って前方に空気を送り出すヘアードライヤーであって、ファンモータと、ヒータユニットと、前記ファンモータおよび前記ヒータユニットを覆い、前記中心軸の周囲において前後に延びる中空筒状の本体ケースと、を有し、前記ファンモータは、前記中心軸を中心に回転するインペラと、前記インペラを回転させるモータと、を有し、前記本体ケースは、吸気口を有する吸気ケース部と、排気口を有する排気ケース部と、前記吸気口と前記排気口との間に位置し、前記中心軸方向に貫通する流入口を有する流入ケース部と、を有し、前記吸気ケース部は、後端部から前記流入口に向かって前方へ延びる筒状の吸込管部を有し、前記吸気ケース部と前記流入ケース部とにより、前記流入口と前記吸気口との間に位置し、前記吸込管部および前記流入口の径方向外側に広がる拡張室が構成され、前記吸込管部は、前記吸込管部の後方の開口である第１開口と、前記吸込管部の前方の開口である第２開口と、を有する。
【発明の効果】
【０００６】
本願の例示的な第１発明によれば、インペラから生じる騒音が、拡張室内で反射を繰り返すことによって、ヘアードライヤーの外部に伝搬しにくくなる。これにより、ヘアードライヤーの騒音を低減できる。特に、吸気ケース部が吸込管部を有することで、拡張室における騒音の反射効果が高まる。その結果、ヘアードライヤーの外部に騒音が伝搬することを、より抑制できる。
【図面の簡単な説明】
【０００７】
【図１】図１は、第１実施形態に係るヘアードライヤーの縦断面図である。
【図２】図２は、第１実施形態に係るヘアードライヤーの部分断面図である。
【図３】図３は、変形例に係るヘアードライヤーの縦断面図である。
【図４】図４は、変形例に係るヘアードライヤーの縦断面図である。
【図５】図５は、変形例に係るヘアードライヤーの縦断面図である。
【図６】図６は、変形例に係るヘアードライヤーの縦断面図である。
【図７】図７は、変形例に係るヘアードライヤーの縦断面図である。
【発明を実施するための形態】
【０００８】
本明細書では、モータの中心軸に沿う方向を前後方向とし、吸気口に対して排気口側を前として、各部の形状や位置関係を説明する。ただし、この前後方向の定義によって、ヘアードライヤーの使用時の向きを限定する意図はない。また、モータの中心軸に平行な方向または略平行な方向を「軸方向」と呼び、中心軸を中心とする径方向を単に「径方向」と呼び、中心軸を中心とする周方向を単に「周方向」と呼ぶ。また、開口または貫通孔の断面積とは、中心軸に対して垂直な面における断面積を指す。
【０００９】
＜１．ヘアードライヤーの構成＞
図１は、本発明の例示的な第１実施形態に係るヘアードライヤー５を示す縦断面図である。このヘアードライヤー５は、モータＭの動力によりインペラ４を回転させて、中心軸Ｊ１に沿って前方に空気を送り出す装置である。ヘアードライヤー５は、例えば、家庭用または業務用として、髪を乾かすために使用される。
【００１０】
図１に示すように、本実施形態のヘアードライヤー５は、ファンモータＦＭと、ヒータユニットＨＵと、本体ケースＣと、把持部６とを有する。ファンモータＦＭは、中心軸Ｊ１を中心に回転するインペラ４と、インペラ４を回転させるモータＭと、モータＭを保持するモータケースＭＣとを有する。本実施形態のファンモータＦＭは、遠心ファンである。
【００１１】
インペラ４は、中心軸Ｊ１を中心として回転することで、気流を発生させる部品である。インペラ４は、本体ケースＣの径方向内側に配置される。図２に示すように、インペラ４は、中央に位置するベース部４１と、ベース部４１から径方向外側へ延びる複数の羽根４２とを有する。ベース部４１は、モータＭの後述するシャフト４３に固定される。複数の羽根４２は、ベース部４１の径方向外側において周方向に配列される。
【００１２】
ベース部４１および複数の羽根４２は、例えば、樹脂の射出成型により一体に形成される。ただし、インペラ４は、複数の部材で構成されていてもよい。例えば、ベース部４１と複数の羽根４２とが、互いに別部材であってもよい。また、インペラ４は、樹脂以外の材料からなるものであってもよい。
【００１３】
モータＭは、インペラ４に対して、回転のための動力を供給する動力源である。このヘアードライヤー５では、インペラ４よりも軸方向前方に、モータＭが配置されている。ただし、モータＭは、インペラ４よりも軸方向後方に配置されていてもよい。モータＭは、中心軸Ｊ１に沿って延びるシャフト４３を有する。モータＭを駆動させると、モータＭ内に配置されたコイルとマグネットとの間の回転磁界によって、中心軸Ｊ１周りのトルクが発生する。これにより、モータＭのシャフト４３が、中心軸Ｊ１を中心として回転する。
【００１４】
モータＭには、例えば、ブラシレスＤＣモータが用いられる。ブラシレスＤＣモータは、ブラシの摩耗による性能の劣化が無いため、ブラシ付きモータよりも長寿命である。また、ブラシレスＤＣモータは、ＡＣモータよりも容易に変速することができ、かつ、消費電力の低減が容易である。ただし、ブラシレスＤＣモータに代えて、ブラシ付きモータや、ＡＣモータが用いられてもよい。
【００１５】
モータケースＭＣは、インペラ４の軸方向前方において、モータＭを保持する部材である。モータケースＭＣは、モータＭの周囲を取り囲む。モータＭの外周面は、モータケースＭＣの内周面と、少なくとも部分的に接触する。これにより、モータＭが、モータケースＭＣ内で位置決めされる。インペラ４から生じた気流は、モータケースＭＣの径方向外側を通過する。モータケースＭＣの外周面は、軸方向後方の端部から軸方向前方に向かうにつれて、一旦拡径した後、再び縮径する。すなわち、モータケースＭＣの外周面は、本体ケースＣの内周面の形状に沿って湾曲している。これにより、インペラ４から生じた気流が、モータケースＭＣの周囲において、軸方向前方へ効率よく送られる。
【００１６】
本体ケースＣは、中心軸Ｊ１の周囲において、前後に延びる中空筒状のケースである。本体ケースＣの材料には、例えば樹脂が用いられる。本体ケースＣは、ファンモータＦＭと、ヒータユニットＨＵとを、内部に収容する。
【００１７】
本体ケースＣは、吸気ケース部１と、排気ケース部３と、流入ケース部２とを有する。吸気ケース部１は、外部から空気を吸入するための吸気口１０を有する。排気ケース部３は、空気を外部へ排出するための、排気口３０を有する。流入ケース部２は、排気ケース部３と、吸気ケース部１との間に位置する。また、流入ケース部２は、吸気口１０と排気口３０との間に位置する流入口２０を有する。流入口２０は、流入ケース部２を中心軸Ｊ１方向に貫通する。上述したインペラ４は、流入ケース部２の径方向内側に配置される。流入ケース部２の内周面は、インペラ４の外端部に近接する。これにより、流入ケース部２の内周面とインペラ４との間において、気体の逆流が抑制される。
【００１８】
吸気ケース部１は、後端部から流入口２０に向かって前方へ延びる筒状の吸込管部１１１を有する。吸込管部１１１は、後方の開口である第１開口１０１と、前方の開口である第２開口１０２とを有する。第１開口１０１および第２開口１０２は、貫通孔であり、本体ケースＣの外部である外気空間と、本体ケースＣの内部空間とをつなぐ。なお、本実施形態では、吸気口１０には、人間の指等がインペラ４に触れることを防ぐ、インペラガード部１５０が設けられる。
【００１９】
このヘアードライヤー５の内部には、吸気ケース部１と流入ケース部２とにより構成される拡張室１２０が設けられている。拡張室１２０は、流入口２０と吸気口１０との間に位置し、かつ、吸込管部１１１および流入口２０の径方向外側に位置する。また、拡張室１２０は、後述する吸気ケース部筒部１１０の内周面に沿って、環状に広がる。拡張室１２０の径方向の幅は、後方へ向かうにつれて、徐々に小さくなる。また、吸込管部１１１と流入ケース部２との間には、吸込管部１１１から流入口２０へ向かう気体の流路が形成される。当該気体の流路と、拡張室１２０とは、互いに連通した空間となる。
【００２０】
把持部６は、ヘアードライヤー５の使用時に、ユーザが把持する部位である。把持部６は、吸気ケース部１および排気ケース部３の境目付近から、径方向外側へ向けて延びる。把持部６には、ヘアードライヤー５のＯＮ／ＯＦＦの切り替えや出力の調節を行うためのスイッチ（図示省略）が設けられている。このヘアードライヤー５では、吸気ケース部１および排気ケース部３と、把持部６とが、別部材となっている。ただし、吸気ケース部１、排気ケース部３、および把持部６は、一体に形成されていてもよい。
【００２１】
モータＭが駆動すると、インペラ４が回転し、軸方向前方かつ径方向外側へ向かう気流が発生する。これにより、空気が、本体ケースＣの外部から吸気口１０へ流入する。本体ケースＣの内部に流入した空気は、拡張室１２０の径方向内側を通り、流入口２０に案内される。その後、空気は、排気ケース部３の内側に位置するヒータユニットＨＵにて、熱せられる。そして、空気は、排気口３０から本体ケースＣの外部へと排出される。
【００２２】
インペラ４から生じる騒音は、拡張室１２０内で反射を繰り返す。これにより、騒音のエネルギーが減衰する。このため、インペラ４から発生した時点よりもエネルギーが減衰した騒音が、拡張室１２０の外部に伝搬する。これにより、ヘアードライヤー５の外部に伝搬する騒音が低減する。特に、吸気ケース部１が吸込管部１１１を有することによって、吸込管部１１１と、吸気ケース部１との間に、騒音を閉じ込めやすくなる。このため、吸込管部１１１は、拡張室１２０内における騒音の反射効果を高めることができ、ヘアードライヤー５の外部に騒音が伝搬することを、より抑制できる。
【００２３】
本実施形態では、外気を取り入れる吸気口１０の第１開口１０１の断面積は、第２開口１０２の断面積よりも大きい。また、拡張室１２０は、吸気ケース部１および流入ケース部２によって形成される。これにより、インペラ４により生じた騒音が、吸気口１０からヘアードライヤー５の外部に伝搬することを抑制できる。すなわち、インペラ４によって生じた騒音は、拡張室１２０内で反射し、ヘアードライヤー５の外部に伝搬しづらくなる。その結果、ヘアードライヤー５の騒音を低減することができる。また、吸気ケース部１が吸込管部１１１を有することで、拡張室１２０における騒音の低減効果は高まり、騒音が吸気口１０からヘアードライヤー５の外部に伝搬しづらくなる。したがって、拡張室１２０における消音効果をより高めることができる。
【００２４】
図２は、ヘアードライヤー５の吸込管部１１１付近の、拡大断面図である。本実施形態では、軸方向から見たときに、第１開口１０１、第２開口１０２、および流入口２０の形状は、いずれも円形である。ただし、円形とは略円形も含むものとする。また、第１開口１０１、第２開口１０２、および流入口２０の形状は円形でなくてもよい。図２に示すように、第２開口１０２の直径（Ｄｅ２）は、流入口２０の直径（Ｄｆ）よりも大きい。また、第１開口１０１の直径（Ｄｅ１）は、第２開口１０２の直径（Ｄｅ２）よりもさらに大きい。すなわち、中心軸Ｊ１に対して垂直な平面において、第２開口１０２の断面積は、流入口２０の断面積よりも大きく、第１開口１０１の断面積は、第２開口１０２の断面積よりもさらに大きい。これにより、ヘアードライヤー５の外部から吸入される空気の、流路抵抗を小さくすることができる。また、ヘアードライヤー５の内部での、空気の流路抵抗を小さくすることができる。したがって、モータＭおよびインペラ４の負荷を減らすことができる。
【００２５】
特に、本実施形態では、第１開口１０１の断面積が、第２開口１０２の断面積よりも大きく、かつ、吸込管部１１１の内径が、前方へ向かうにつれて徐々に小さくなっている。これにより、吸込管部１１１内における空気の流路抵抗を、より小さくすることができる。その結果、吸気側から排気側までの空気が円滑に流れ、インペラ４により生じる騒音は抑制される。また、拡張室１２０での消音効果を高めるためには、吸込管部１１１の軸方向の長さは、第１開口１０１の半径以上であることが望ましい。本実施形態では、第１開口１０１の直径（Ｄｅ１）は、吸込管部１１１の軸方向の長さ（Ｌ１）の１．５倍である。
【００２６】
吸気ケース部１は、後方に位置する吸気口１０に向かうにつれて、外径が縮径する吸気ケース部筒部１１０を有する。吸込管部１１１は、吸気ケース部筒部１１０の径方向内側に配置される。吸込管部１１１は、吸気ケース部筒部１１０の吸気側端部の内周面から、前方のモータＭに向かって軸方向に延びている。吸込管部１１１と吸気ケース部筒部１１０とは、間隙１２１を介して径方向に対向する。そして、間隙１２１は、拡張室１２０の一部を構成する。
【００２７】
このように、吸気ケース部筒部１１０が、後方へ向かうにつれて縮径することにより、拡張室１２０における反射効果が高まる。その結果、拡張室１２０による騒音の低減効果を高めることができる。
【００２８】
また、本実施形態では、流入口２０は、少なくとも一部に、前方へ向かうにつれて次第に内径が大きくなる、傾斜部２１を有する。そして、傾斜部２１は、前方へ向かうにつれて次第に径方向外向きに湾曲する。これにより、流入口２０における空気の流路抵抗をより小さくすることができる。
【００２９】
また、ファンモータＦＭとしては、遠心ファンまたは斜流ファンが用いられるのが望ましい。遠心ファンまたは斜流ファンを用いれば、軸流ファンが用いられる場合よりも、静圧を高めることができる。また、流入ケース部２の内壁の外形（内周面）の少なくとも一部は、インペラ４の外形に沿って広がる。また、流入ケース部２の内壁の外形は、流入口２０から前方のインペラ４に向かうにつれて拡径しながら前方へと延びる。これにより、インペラ４により生じた気流が、流入ケース部２にぶつかることによって生じる渦を小さくすることができる。これにより、ヘアードライヤー５の騒音をより小さくすることができる。
【００３０】
このように、吸気口１０から吸い込まれた空気は、流速を上げながら、拡張室１２０の径方向内側に流入する。そして、流入途中での空気の乱れによる流路抵抗の発生を抑制できる。そのため、大風量のヘアードライヤー５としての必要流量を得ることができる。このとき、騒音源となる渦の発生や圧力変動は、主にインペラ４の遠心方向で発生する。この騒音は、空気の流れの上流にも伝わるが、拡張室１２０の作用により、騒音のエネルギーが減衰する。その結果、外部に伝わる騒音を低減できる。本実施形態では、外気を取り入れる吸込管部１１１が軸方向に長さを有する。このため、拡張室１２０による消音効果をより高めることができる。これにより、大風量のヘアードライヤー５においても、騒音を低減することができる。
【００３１】
＜２．変形例＞
以上、本発明の例示的な実施形態について説明したが、本発明は上記の実施形態には限定されない。
【００３２】
図３は、変形例に係るヘアードライヤー５Ａの縦断面図である。図３のヘアードライヤー５Ａは、上記実施形態のヘアードライヤー５と比較して、拡張室１２０Ａにヘルムホルツ共鳴器を有する点が異なる。その他の構成は、上記実施形態のヘアードライヤー５と同様である。
【００３３】
図３の吸気ケース部筒部１１０Ａは、径方向内方に向かって延びる円環部１０５Ａを有する。円環部１０５Ａは、間隙１２１Ａ内に位置する。また、円環部１０５Ａは、軸方向に貫通する開口部１０８Ａを有する。開口部１０８Ａは、間隙１２１Ａと拡張室１２０Ａとを繋ぐ。円環部１０５と、吸込管部１１１Ａとは、径方向に開口部１０８Ａを挟んで対向する。図３の例では、開口部１０８Ａは、円環部１０５Ａと吸込管部１１１Ａとの間に、環状の隙間空間を構成する。なお、開口部１０８Ａは、円環部１０５Ａの少なくとも一部を軸方向に貫く貫通孔であればよい。すなわち、開口部１０８Ａは、円環部１０５Ａの、周方向における少なくとも一部を、軸方向に貫く貫通孔であればよい。円環部１０５Ａと、吸気ケース部筒部１１０Ａと、吸込管部１１１Ａとによって、環状の空間である容積部１０６Ａが形成される。
【００３４】
容積部１０６Ａは、円環部１０５Ａと吸込管部１１１Ａと吸気ケース部筒部１１０Ａとに囲まれた、周方向に広がる環状の空間である。ここで、開口部１０８Ａと容積部１０６Ａとによって、ヘルムホルツ共鳴器を構成することができる。ヘルムホルツ共鳴器は、拡張室１２０Ａ内の圧力変動を弱めるため、拡張室１２０Ａ内における気柱共鳴等に起因する騒音を小さくすることができる。
【００３５】
ヘルムホルツ共鳴器の共鳴周波数Ｆは、次の計算式で計算できる。
【００３６】
【数１】
2016135228.tif 000003
【００３７】
ここで、Ｃは音速、Ｓは開口部１０８Ａの断面積、Ｌは開口部１０８Ａの内周面の軸方向の長さ（音響補正長を含む）、Ｖは容積部１０６Ａの体積である。この計算式を用いることにより、ヘルムホルツ共鳴器を、低減したい騒音の周波数に応じて、設計することができる。例えば、開口部１０８Ａの断面積Ｓが直径φ２０ｍｍ相当で、長さＬが１０ｍｍ、容積Ｖが１０ｃｍ３、音速Ｃが３４０ｍ／ｓｅｃであった場合、共鳴周波数Ｆは約１５００Ｈｚとなる。このように、吸込管部１１１Ａと円環部１０５Ａにより、ヘアードライヤー５Ａの内部に、ヘルムホルツ共鳴器を設けることができる。そして、ヘアードライヤー５Ａで増大しやすい範囲の騒音成分に対応して、ヘルムホルツ共鳴器を容易に設計することができる。
【００３８】
図４は、他の変形例に係るヘアードライヤー５Ｂの縦断面図である。図４に示すヘアードライヤー５Ｂの構造は、上記実施形態のヘアードライヤー５の構造と比較して、吸込管部１１１Ｂが微小開口１３０Ｂを有する点が異なる。微小開口１３０Ｂは、吸込管部１１１Ｂを径方向に貫通する。そして、微小開口１３０Ｂは、吸気口１０Ｂと、拡張室１２０Ｂとを繋ぐ。微小開口１３０Ｂは、拡張室１２０Ｂ内の空気変動を調整する。これにより、拡張室１２０Ｂにおける空気変動を抑え、気柱共鳴等に起因する騒音を抑制することができる。なお、図４の例では、二つの微小開口１３０Ｂが設けられているが、微小開口１３０Ｂの数は二つ以外であってもよい。
【００３９】
図５は、他の変形例に係るヘアードライヤー５Ｃの断面図である。図５のヘアードライヤー５Ｃの構造は、上記実施形態のヘアードライヤー５の構造と比較して、間隙１２１Ｃに吸音材１６１Ｃが設けられている点が異なる。吸音材１６１Ｃには、例えば、スポンジや、グラスウール等の材料が使用される。吸音材１６１Ｃは、拡張室１２０Ｃ内部で、高周波の騒音成分を吸収または減衰する。その結果、ヘアードライヤー５Ｃの外部に伝搬する騒音をより低減できる。
【００４０】
図６は、他の変形例に係るヘアードライヤー５Ｄの縦断面図である。図６のヘアードライヤー５Ｄは、図５のヘアードライヤー５Ｃと比較して、吸気ケース部筒部１１０Ｄの内周面に、第２吸音材１６２Ｄがさらに設けられている点が異なる。第２吸音材１６２Ｄは、高音周波数帯の騒音を、吸音または減衰する。その結果、拡張室１２０Ｄの消音効果を高めることができる。なお、図６の例では、ヘアードライヤー５Ｄは、第１吸音材１６１Ｄと、第２吸音材１６２Ｄとを、いずれも有している。しかしながら、ヘアードライヤー５Ｄは、第２吸音材１６２Ｄのみを有していてもよい。また、排気ケース部３Ｄの内部に、吸音材を有していてもよい。
【００４１】
図７は、他の変形例に係るヘアードライヤー５Ｅを示す断面図である。図７のヘアードライヤー５Ｅは、上記実施形態のヘアードライヤー５と比較して、吸気ケース部１Ｅが、吸気ケース部筒部１１０Ｅおよび取り付け部１１Ｅの２つの部材で構成されている点が異なる。このように、吸気ケース部１Ｅは、複数の部材によって構成されていてもよい。
【００４２】
取り付け部１１Ｅには、図示しない、取付けまたは取り外し構造が設けられる。これにより、吸気ケース部筒部１１０Ｅに対する取り付け部１１Ｅの取り付けまたは取り外しを、容易に行うことができる。取り付け部１１Ｅを吸気ケース部筒部１１０Ｅに取り付けると、取り付け部１１Ｅおよび吸気ケース部筒部１１０Ｅは、分割位置１０３Ｅにおいて密着する。また、図７の例では、取り付け部１１Ｅによって、吸込管部１１１Ｅが形成される。図７の構造を採れば、取り付け部１１Ｅと吸気ケース部筒部１１０Ｅとを開くことで、本体ケースの内部を掃除しやすくなる。
【００４３】
なお、取り付け部１１Ｅまたは吸気ケース部筒部１１０Ｅに、インペラガード部が設けられていてもよい。
【００４４】
また、本発明の趣旨を逸脱しない範囲で、ヘアードライヤーの構成を変更してもよい。例えば、インペラおよびモータを有するファンモータを、図１よりも軸方向前方に配置してもよい。
【００４５】
また、ヘアードライヤーを構成する各部材の細部の形状は、本願の各図に示された形状と、相違していてもよい。また、上記の実施形態や変形例に登場した各要素を、矛盾が生じない範囲で、適宜に組み合わせてもよい。
【産業上の利用可能性】
【００４６】
本発明は、ヘアードライヤーに利用できる。
【符号の説明】
【００４７】
１，１Ｅ  吸気ケース部
２  流入ケース部
３，３Ｄ  排気ケース部
４  インペラ
５，５Ａ，５Ｂ，５Ｃ，５Ｄ，５Ｅ  ヘアードライヤー
６  把持部
１０，１０Ｂ  吸気口
１１Ｅ  取り付け部
２０  流入口
２１  傾斜部
３０  排気口
４１  ベース部
４２  羽根
４３  シャフト
１０１  第１開口
１０２  第２開口
１０３Ｅ  分割位置
１０５Ａ  円環部
１０６Ａ  容積部
１０８Ａ  開口部
１１０，１１０Ａ，１１０Ｄ，１１０Ｅ  吸気ケース部筒部
１１１，１１１Ａ，１１１Ｂ，１１１Ｅ  吸込管部
１２０，１２０Ａ，１２０Ｂ，１２０Ｄ  拡張室
１２１，１２１Ａ，１２１Ｃ  間隙
１３０Ｂ  微小開口
１５０  インペラガード部
１６１Ｄ  第１吸音材
１６２Ｄ  第２吸音材
Ｃ  本体ケース
Ｍ  モータ
ＦＭ  ファンモータ
ＨＵ  ヒータユニット
Ｊ１  中心軸
ＭＣ  モータケース
【図１】
2016135228.tif 000004
【図２】
2016135228.tif 000005
【図３】
2016135228.tif 000006
【図４】
2016135228.tif 000007
【図５】
2016135228.tif 000008
【図６】
2016135228.tif 000009
【図７】
2016135228.tif 000010